(57)【特許請求の範囲】
【請求項１】
遊技盤が装着される本体部と、その本体部に対し一側が開閉機構によって開閉可能に取り付けられ、他側が閉止機構によって閉じ状態に保持される開閉扉と、を備え、前記開閉扉には、前記遊技盤の遊技領域を透視可能な開口窓が形成されるとともに、その開口窓を塞ぐ透明板が設けられている遊技機であって、
前記本体部と、前記開閉扉は、該開閉扉の開閉状態を検知するための開閉状態検知手段を設け、
前記遊技盤前面と前記透明板後面との間の距離を検知する距離検知手段をさらに備えている遊技機。
【発明の詳細な説明】
【０００１】
【発明の属する技術分野】
この発明は、例えば、パチンコ機（アレンジボール機、雀球機等も含む）のような遊技機（弾球遊技機と呼ばれることもある）に関し、詳しくは、遊技盤が装着される本体部と、その本体部に対し一側が開閉機構によって開閉可能に取り付けられ、他側が閉止機構に閉じ状態に保持される開閉扉と、を備えた遊技機に関する。
【０００２】
【従来の技術】
従来、この種の遊技機（例えばパチンコ機）において、本体部に対し、その一側が開閉機構によって開閉可能に装着され、他側が閉止機構に閉じ状態に保持される開閉扉には、遊技盤の遊技領域を透視可能な開口窓が形成される。
また、開閉扉には、その開口窓を塞ぐ透明板（ガラス板、透明な合成樹脂板等）が装着される。
遊技盤の前面には、立ち上がり寸法１８ｍｍ程度の無数の釘が打ち込まれ、遊技盤の前面と透明板の後面との間の距離は約１９ｍｍ、組み付け誤差によるガタツキ等を考慮したとしても約２１ｍｍ以内とされるのが一般的である。
遊技盤面上には直径約１１ｍｍの遊技球（パチンコ球）が発射され、これらの遊技球が無数の釘の間を方向を変えながら流下することにより遊技が実現される。
【０００３】
【発明が解決しようとする課題】
ところで、前記従来の遊技機において、遊技盤前面と透明板後面との間の距離が不測に変動すると種々の不具合が生ずることが知られている。
例えば、遊技盤前面と透明板後面との間の距離が、想定される最大寸法である２１ｍｍを超えた場合には（例えば２３ｍｍになった場合には）、遊技盤の前面に打ち込まれた釘の頂部と、透明板の後面との隙間が予想以上に広がることになる（例えば、隙間が１ｍｍから５ｍｍに広がることになる）。
すると、遊技盤の前面に配設されることのある役物装置の角部等において、複数の遊技球が前後方向にほぼ重なった状態で密集し、これによって遊技球の「詰まり」の状態が生ずることがある。
【０００４】
このような遊技球の「詰まり」は、例えば開閉扉下部を手前側に引っ張ることで意図的に発生させることも可能である。
最近では、遊技盤前面に配設される入賞口の近傍に、このような遊技球の「詰まり」を意図的に発生させ、この入賞口に入賞する方向へ多くの遊技球を誘導する不正な行為（いわゆる「ゴト」行為）が発見されている。
このような行為が行われると、多くの賞球が不正に獲得されることとなり、遊技機を提供等する事業者にとっては多大な損害を蒙ることになるので問題となっていた。
【０００５】
本発明はこのような問題を解決するために創案されたものであり、パチンコ機等の遊技機において、遊技盤前面と透明板後面との間の距離が変動することに起因する種々の不具合を有効に防止することを課題とする。
【０００６】
【課題を解決するための手段】
前記目的を達成するために、本願発明は特許請求の範囲の請求項に記載された通りの構成を備えている。
請求項１に記載の遊技機は、遊技盤が装着される本体部と、その本体部に対し一側が開閉機構によって開閉可能に取り付けられ、他側が閉止機構によって閉じ状態に保持される開閉扉と、を備える。
開閉扉には、遊技盤の遊技領域を透視可能な開口窓が形成されるとともに、その開口窓を塞ぐ透明板が設けられている。
加えて、請求項１に記載の遊技機には、遊技盤前面と透明板後面との間の距離を検知する距離検知手段が備えられている。
ここで、「距離検知手段」は、遊技盤前面と透明板後面との間の距離を検知できる各種の手段、例えば、各種の距離センサーやリミットスイッチ等により構成される。
この「距離検知手段」は、「距離」を数値としてデジタル信号あるいはアナログ信号により出力する距離センサーやリミットスイッチ等で構成されてもよく、あるいは、「距離」が所定の範囲にあるか否かを検知して接点信号を出力する距離センサーやリミットスイッチ等で構成されてもよい。
【０００７】
このような構成により、請求項１に記載の遊技機によれば、距離検知手段によって遊技盤前面と透明板後面との間の距離が検知される。
したがって、例えば開閉扉が手前側に引っ張られ、前記した「距離」が不測に変動したような場合であっても、このような「距離」の変動を速やかに発見することができる。
これにより、遊技盤前面と透明板後面との間における遊技球の詰まり等の不具合が有効に防止される。
【０００８】
本願発明に記載の遊技機では、距離検知手段は、遊技盤前面と透明板後面との間の距離が所定の距離を超えたことを検知して検知信号を出力する。
これにより、例えば開閉扉が手前側に引っ張られ、前記した「距離」が所定の距離を超えて拡大した場合であっても、出力された検知信号に基いて種々の対策を講じることができる。
例えば、距離検知手段により出力された検知信号に基いて、遊技機に備えられたスピーカ等から警告音を発生させることができる。
これにより、前記した「距離」が拡大することによる遊技球の詰まり等に対して迅速に対処することができる。
【０００９】
本願発明に記載の遊技機では、距離検知手段が「超えたこと」を検知して検知信号を出力する「所定の距離」は、遊技球の直径の２倍の距離を超えない距離であることを特徴とする。
距離検知手段が「超えたこと」を検知して検知信号を出力するための「所定の距離」は、遊技盤前面と透明板後面との間に遊技球の「詰まり」が生じないようにするための距離、言い換えれば、遊技盤前面と透明板後面との間に遊技球が「重なり合わない」程度の距離に設定されるのが好ましい。
例えば、遊技球がパチンコ球であって、その直径の大きさが１１ｍｍに設定されている場合には、遊技盤前面と透明板後面との間が２２ｍｍを超えたときに、２つの遊技球が前後に重なり合う状態が生じ得ることとなる。
この場合、例えば役物装置の角部や壁部等において、複数の遊技球が前後に重なり合うことにより密集し、遊技球の「詰まり」が極めて発生し易い状態が形成されることとなる。
したがって、距離検知手段が超えたことを検知する「所定の距離」は、少なくとも、遊技球の直径の２倍の距離である２２ｍｍを超えない距離とされるのが好ましい。
さらに、遊技球の「詰まり」をより確実に防止する観点から考察すると、「所定の距離」は、およそ２１ｍｍ程度とされるのが一層好ましい。
本願発明に記載の遊技機によれば、このような場合に検知信号が出力されることにより、遊技球を詰まらせる等による不正行為をより確実に発見・防止することができる。
【００１０】
本願発明に記載の遊技機は、検知信号に基いて作動される外部報知手段を備えている。
ここで、「外部報知手段」とは、外部に音や光を発したり、あるいは、警告画面を表示すること等により外部に報知を行うことのできる手段、例えば、遊技機に備えられたスピーカや発光体ＬＥＤ、液晶表示装置等のことを指している。
外部報知手段は、検知信号に基いて、遊技盤前面と透明板後面との間の距離が所定の距離（例えば２１ｍｍ）を超えたことをを外部に向けて速やかに報知することができる。
これにより、開閉扉を引っ張ることによる不正行為等を速やかに発見・防止することができる。
【００１１】
本願発明に記載の遊技機では、距離検知手段は、開閉扉の一側が閉止機構によって閉じ状態に保持されているときに、遊技盤前面と透明板後面との間の距離を検知する。
開閉扉の一側が閉止機構に閉じ状態に保持されている場合、すなわち、開閉扉が閉じられている場合は、遊技盤前面と透明板との間に遊技球の「詰まり」等が生じることがあるので、距離検知手段によりこれらの間の「距離」を検知するのが好ましい。
反対に、開閉扉の一側が閉止機構に閉じ状態に保持されていない場合、すなわち、開閉扉が開放されている場合は、遊技盤前面と透明板との間に遊技球の「詰まり」等が発生することはないので、距離検知手段により「距離」を検知する必要がない。
つまり、本願発明に記載の遊技機によれば、必要な場合にだけ、距離検知手段により「距離」を検知することになるので、効率的に遊技球の詰まり等を防止することができる。
【００１２】
本願発明に記載の遊技機では、距離検知手段は、開閉扉の一側と、開閉扉の他側との間における略中央の位置において、遊技盤前面と透明板後面との間の距離を検知する。
ここで、開閉扉の「一側」とあるのは、開閉機構によって本体部に取付けられる開閉扉の一側のことを指しており、開閉扉の「他側」とあるのは、閉止機構によって閉じ状態に保持される開閉扉の他側のことを指している。
開閉扉の両側部は、開閉機構及び閉止機構によってそれぞれ本体部に対して固定されるので、例えば開閉扉を手前側に引っ張ったとしても、これらの位置では開閉扉自体（例えば窓枠の部分）があまり変形しない。
しかし、これらの両側部の間、特に、これら両側部の略中央の位置では、例えば開閉扉を手前側に引っ張ると、固定された両側部から離れているので、開閉扉自体が手前側に向けて変形し易い。
このように、手前側に引っ張ることで変形し易い略中央の位置では、他の位置と比べて意図的に遊技球の「詰まり」等を発生させやすく、多数の遊技球を入賞口に誘導する不正行為も行われ易い。
本願発明に記載の遊技機によれば、このような不正行為が行われ易い開閉扉の略中央の位置において、遊技盤前面と透明板後面との間の距離が検知される。
これにより、前記したような不正行為をより効果的に防止することができる。
【００１３】
本願発明に記載の遊技機では、距離検知手段は、遊技盤の上下方向略中央の位置よりも下方の位置において、遊技盤前面と透明板後面との間の距離を検知する。
遊技盤の前面には、遊技球が入賞すると賞球を払出す複数の入賞口（例えば普通入賞口）が配設されるのが一般的である。
そして、このような複数の入賞口は、遊技盤前面の上下方向略中央の位置よりも下方の位置に多く配設されるのが一般的である。
つまり、このように多くの入賞口が配設される位置では、意図的に遊技球を詰まらせて該入賞口に多くの遊技球を誘導する不正行為が行われやすい。
本願発明に記載の遊技機によれば、このような不正行為が行われ易い遊技盤の下方の位置において、遊技盤前面と透明板後面との間の距離が検知される。
これにより、前記したような不正行為をより効果的に防止することができる。
【００１４】
【発明の実施の形態】
この発明の実施の形態を図面にしたがって説明する。
図１は遊技機としてのパチンコ機（弾球遊技機ともいう）の正面図である。
図２は図１のＩＶ−ＩＶ線に基づく縦断面図である。
図３は図１のＶ−Ｖ線に基づく平断面図である。
図４は本体部の外枠に対し基枠を開きその基枠に対し開閉扉を開いた状態を示す斜視図である。
図５は本体部の外枠に対し基枠を開いた状態を示す斜視図である。
図１〜図５において、パチンコ機１の本体部は、外枠３と基枠７を主体として構成され、基枠７の前側には開閉扉３０が開閉可能に装着されている。
外枠３は方形枠状に形成され、その前面の下部には基枠７の下面を受ける受板３ａが設けられている。
【００１５】
図４と図５に示すように、外枠３の前側には、基枠７がその一側の基枠用開閉機構をなす基枠用ヒンジ部材６の軸を支点として開閉可能に取り付けられている。
この基枠７の他側は、基枠用閉止機構をなす基枠施錠用フック１５によって閉じ状態に保持されている。
なお、周知のように、基枠用閉止機構は、基枠７の後側面に設けられた基枠施錠用フック１５と、その基枠施錠用フック１５に係脱可能に位置において外枠３の内側面に設けられた係止具（図示しない）とを備えている。
そして、基枠７が閉じられることで、その基枠施錠用フック１５が外枠３の係止具に係合して基枠７が閉じ状態に施錠されるようになっている。
また、外枠３に対する基枠７の解錠は、基枠７の鍵穴１８に対し鍵を挿入し、その鍵を、所定方向に回動操作することで、基枠施錠用フック１５が外枠３の係止具から外れ、外枠３に対し基枠７が解錠されるようになっている。
図２〜図４に示すように、基枠７は、遊技盤１０の前面の略全体を露出する開口部を有する方形額縁状に形成されている。
この基枠７の後面には、その開口部周縁に沿って遊技盤装着枠８が設けられている。
そして、遊技盤１０は、遊技盤装着枠８の後方から着脱可能に嵌込まれる。
さらに、遊技盤装着枠８の片側において開閉可能に装着された機構板１９を閉じ、遊技盤装着枠８の後面に配設された複数の締付具９を固定位置まで回動することによって遊技盤装着枠８に機構板１９を介して遊技盤１０が固定されるようになっている（図５参照）。
【００１６】
図４に示すように、遊技盤１０の前面には、球発射通路を構成する外レールと内レールを備えた案内レール１１が装着され、その案内レール１１の内側には遊技領域１２が区画されている。
遊技盤１０の前面には、その遊技領域１２内においてセンタ役物、入賞口、風車器、多数の釘等が配設されている（図示しない）。
また、遊技盤１０の前面には、その遊技領域１２の外側においてパネル飾り等の部品２８が取り付けられている。
また、図４に示すように、基枠７の前面の下部には、発射レール装置６０が配設されるとともに、その発射レール装置６０を覆うようにして前板６２が開閉可能に装着されている。
前板６２の前面には上皿６１が装着され、同前板６２の下方に位置する基枠７の下部前面には、操作ハンドル１６、下皿１７等が配設されている。
【００１７】
図４に示すように、基枠７の前側には、一側が扉用開閉機構２０によって開閉可能に取り付けられ、他側が扉用閉止機構２５によって閉じ状態に保持される開閉扉３０が配設されている。
なお、この扉用開閉機構２０が、本発明の「開閉機構」に対応し、扉用閉止機構２５が、本発明の「閉止機構」に対応している。
この実施の形態において、開閉扉３０の一側とこれに対向する基枠７前面の一側との間には、扉用開閉機構２０を構成する扉用ヒンジ部材２１が配設されており、その扉用ヒンジ部材２１のヒンジ軸を支点（中心）として開閉扉３０が開閉可能に装着されている。
また、開閉扉３０後面の他側（自由端側）と基枠７前面の他側との間には、扉閉止用フック２６と施錠板２７とを備えた扉用閉止機構２５が配設されている。
【００１８】
すなわち、図４と図５に示すように、開閉扉３０後面の他側の上下及び中間の計三箇所には、扉閉止用フック２６が突設される一方、基枠７の他側部には開閉扉３０が閉じられたときには、その扉閉止用フック２６が差し込まれる差込孔７ａが形成されている。
また、基枠７の後面の他側部には、各扉閉止用フック２６に係脱可能に係合して開閉扉３０を閉じ状態に施錠する施錠孔を有する施錠板２７が施錠位置と開錠位置とに移動可能（上下動可能）に配設されている。
そして、開閉扉３０が閉じられることで、その扉閉止用フック２６が施錠板２７を、一旦、バネの弾発力に抗して開錠方向に移動しながらその施錠孔に差し込まれ、その後、施錠板２７がバネの弾発力によって元の施錠位置に戻されることで、扉閉止用フック２６が施錠板２７に係合し、これによって、開閉扉３０が閉じ状態に施錠されるようになっている。
また、基枠７に対する開閉扉３０の解錠は、基枠７の鍵穴１８に対し鍵を挿入し、その鍵を、外枠３に対する基枠７の解錠方向とは逆の方向に回動操作することで、施錠板２７がバネの弾発力に抗して開錠方向に移動し、これによって施錠板２７の施錠孔から扉閉止用フック２６が外れ、基枠７に対し開閉扉３０が解錠されるようになっている。
【００１９】
図２〜図４に示すように、開閉扉３０は、本体フレーム３２と、その本体フレーム３２の前面に装着された合成樹脂製の前面飾り部材３３を主体として構成されている。
本体フレーム３２は、鉄板等の金属板や硬質合成樹脂より形成され、その本体フレーム３２の中央部には、遊技盤１０の遊技面を透視可能な略円形の開口窓３１が形成されている。
また、前面飾り部材３３は合成樹脂の成形品より形成され、その前面には凹凸の装飾が施されるとともに、その一部には光が出射されるレンズ部が適宜に形成されている。
また、本体フレーム３２と前面飾り部材３３との間には、レンズ部に対応する位置においてランプ、ＬＥＤ等の発光体３６を備えたランプ基板３５が配設されている。
【００２０】
図２〜図４に示すように、開閉扉３０の本体フレーム３２の後面には、開口窓３１を塞ぐ前後二枚の方形の透明板４２を保持するするための窓枠４０が一体状に形成されている。
この窓枠４０は、開口窓３１の下方において左右方向に延びる下枠部４０ａと、その下枠部４０ａの左右両端から上方に立ち上がって延びる左右の両側枠部４０ｂとをそれぞれ備えて略Ｕ字枠状に形成されている。
また、窓枠４０の下枠部４０ａ及び左右の両側枠部４０ｂには、透明板４２が上方から差し込まれかつその透明板４２を保持するための横断面略Ｕ字状の保持溝４１が形成されている。
【００２１】
前後二枚の透明板４２を保持するために窓枠４０の下枠部４０ａ及び左右の両側枠部４０ｂには、保持溝４１が前後２列をなして形成されている。
また、前後の両保持溝４１の上端は窓枠４０の左右の両側枠部４０ｂの上端に開口している。
そして、前後二枚の透明板４２は、その左右両縁部が左右の両側枠部４０ｂのガラス差込口から各保持溝４１に差し込まれ、その透明板４２の下縁が下枠部４０ａの保持溝４１に差し込まれた状態で保持されるようになっている。
また、窓枠４０の左右の両側枠部４０ｂの上端部には、ガラス押え体４５が開閉可能あるいは着脱可能に装着されている。
例えば、ガラス押え体４５の両端部に開閉アームが設けられ、その両開閉アームが長孔とピンによって窓枠４０の左右の両側枠部４０ｂの上端部に取り付けられることで、ガラス押え体４５が前後方向に開閉可能に装着されている。
そして、ガラス押え体４５は、窓枠４０の左右の両側枠部４０ｂの上端に跨って閉じられることで、透明板４２の上端を押えるようになっている。
また、ガラス押え体４５が開放されることによって、窓枠４０の保持溝４１の上方開口部から透明板４２が着脱交換可能に差し込まれるようになっている。
【００２２】
図１と図２に示すように、遊技盤１０の前面には、遊技領域１２の最下端の位置にアウト口５０が設けられている。
遊技球が遊技領域１２の上部に発射された後、いずれの入賞口にも流入しなかった場合には、このアウト口５０に流入して機外に排出される。
このアウト口５０の真下の位置には、図１〜図３に示すように、リミットスイッチ５１が配設されている。
【００２３】
図６は、図２におけるリミットスイッチ５１の周辺を拡大して表した縦断面図である。
図６に示すように、リミットスイッチ５１は、先端部が半球状に形成された合成樹脂製のプランジャ５２を備えている。
このプランジャ５２は、２枚の透明板４２のうち遊技盤１０に近い側に配設された透明板４２ａの後面に向けて進退可能に突設されている。
リミットスイッチ５１の内部には圧縮スプリングが内設されており、この圧縮スプリングの弾発力によってプランジャ５２の先端部が透明板４２ａの後面に向けて常時押し付けられた状態となっている。
リミットスイッチ５１は、遊技盤１０の前面と透明板４２ａの後面との間の距離Ｄが所定の距離以上に拡大すると「ＯＮ」となり、接点信号を外部に出力するように構成されている（つまりＢ接点として構成されている）。
つまり、リミットスイッチ５１は、距離Ｄの変動を敏感に検知して外部に検知信号を出力する「距離検知手段」として機能する。
【００２４】
図７は、図６における前面飾り部材３３の下縁部が、手前側の方向（図７中の矢印Ｙ１に示す方向）に向けて引っ張られた状態を示す縦断面図である。
図７に示すように、前面飾り部材３３の下縁部が強制的に引っ張られると、窓枠４０の下枠部４０ａが手前側に向けて撓んだ状態となる。
すると、扉用閉止機構２５によって開閉扉３０の他側部が閉じ状態に保持されているにも拘わらず、遊技盤１０の前面と透明板４２ａの後面との間の距離Ｄが拡大し、透明板４２ａの後面に常時押し付けられていたプランジャ５２が前方に向けてわずかに突出する。
【００２５】
本実施の形態におけるパチンコ機１は、開閉扉３０の他側部が扉用閉止機構２５によって保持されている場合において、遊技盤１０の前面と透明板４２ａの後面との間の距離Ｄが１９ｍｍとなるように各種の部品等が設計されている。
また、各種部品の設計誤差や、組み付け時のガタツキ等を考慮したとしても、前記距離Ｄは最大でも２１ｍｍであることを想定して、遊技球の直径や役物装置の形状等が設定されている。
したがって、この距離Ｄが想定していた最大値である２１ｍｍを超えた場合には、予測し得ない種々の不具合が発生する。
例えば、入賞口の近傍にて距離Ｄが２１ｍｍを超えると、役物装置の角部等において遊技球の「詰まり」の状態が発生する。
この遊技球の「詰まり」によって遊技球の流れが誘導されると、多くの賞球が不正に払出しされる。
このような不正行為を放置すると、遊技を提供するパチンコホール等は多大な損害を蒙ることになる。
このような理由から、本実施の形態におけるリミットスイッチ５１は、距離Ｄが２１ｍｍを超えた場合に外部に向けて検知信号を出力するように設定されている。
これにより、距離Ｄが不測に拡大することに起因した前述の不具合が有効に防止される。
【００２６】
リミットスイッチ５１による検知信号は、パチンコ機１の背面側に設けられた中継基板を介して音声基板やランプ基板３５、画像制御基板等に出力される。
この出力された検知信号に基いて、音声基板によって制御されるスピーカ等から警告音を発生させると、前述したような不正行為が有効に防止される。
また、この出力された検知信号に基いて、ランプ基板３５によって制御される発光体３６から光を発生させると、前述したような不正行為が有効に防止される。
さらに、この出力された検知信号に基いて、画像制御基板によって制御される液晶表示装置等に警告画面を表示すると、前述したような不正行為が一層有効に防止される。
この、遊技機に備えられるスピーカや発光体３６、液晶表示装置等が、本発明における「外部報知手段」に対応している。
また、リミットスイッチ５１による検知信号を、複数のパチンコ機を監視制御するホールコンピューター等に出力させれば、複数のパチンコ機について不正行為が行なわれているか否かを一箇所で集中的に監視することができる。
【００２７】
前述したように、本実施の形態におけるリミットスイッチ５１は、アウト口５０の真下の位置に設置される。
このアウト口５０の真下の位置は、開閉扉３０の扉用開閉機構２０によって取付けられた一側と、開閉扉３０の扉用閉止機構２５によって保持される他側との間における略中央の位置に対応した位置となっている。
開閉扉３０の両側部は、扉用開閉機構２０及び扉用閉止機構２５によってそれぞれ外枠３に対して固定される。
したがって、例えば開閉扉３０の下縁部を手前側に引っ張ったとしても、これらの位置では開閉扉３０自体（例えば窓枠４０の下枠４０ａの部分）があまり変形しない。
しかし、これらの両側部の間、特に、これら両側部の略中央の位置では、例えば開閉扉３０の下縁部を手前側に引っ張ると、固定された両側部から離れているので、開閉扉３０自体（例えば窓枠４０の下枠４０ａの部分）が手前側に向けて変形し易い。
このように、手前側に引っ張ることで変形し易い略中央の位置では、他の位置と比べて遊技球の「詰まり」等を発生させることが容易であり、多数の遊技球を入賞口に誘導する不正行為も行われ易い。
前述したように、リミットスイッチ５１はこのような不正行為が行われ易い開閉扉３０の両側部から離れた略中央の位置に対応した位置に配設されている。
これにより、遊技盤１０前面と透明板４２ａ後面との間の距離Ｄが変動したことを敏感に察知させることができ、他の位置に設置するよりも前述したような不正行為が有効に防止される。
【００２８】
また、リミットスイッチ５１が設置されるアウト口５０の真下の位置は、遊技盤１０の前面の最下端に対応した位置となっている。
遊技盤１０の前面には、遊技球が入賞すると賞球を払出す複数の入賞口（例えば普通入賞口）が配設されるのが一般的である。
そして、このような複数の入賞口は、遊技盤１０前面の上下方向略中央の位置よりも下方の位置に多く配設されるのが一般的である。
つまり、このように多くの入賞口が配設される位置では、意図的に遊技球を詰まらせて、該入賞口に多くの遊技球を誘導する不正行為が行われやすい。
リミットスイッチ５１は、遊技盤１０の最下端の位置、すなわち、遊技盤１０の上下方向中央の位置よりも下方の位置に設置されているので、他の位置に設置するよりも前述したような不正行為が有効に防止される。
【００２９】
本実施の形態において、リミットスイッチ５１は、開閉扉３０の一側が扉用閉止機構２５によって保持されている場合にのみ（つまり開閉扉３０が閉じられている場合にのみ）、距離Ｄを検知してホールコンピューター等に検知信号を出力する。
ここで、開閉扉３０が閉じられていることを認識してリミットスイッチ５１を作動状態としておくためには、開閉扉３０自体の開閉状態を検知するための手段を別個に設置しておくのが好ましい。
このような開閉状態を検知するための手段は、開閉扉３０の開閉状態を確実に検知することができるように、例えば、鍵穴１８に対し挿入された鍵の回動操作を検知して信号を出力するセンサー等により構成することができる。
【００３０】
なお、この発明は前記実施の形態に限定するものではない。
前記実施の形態では、リミットスイッチ５１が遊技領域１２の最下端の位置に設置される例を示したが、遊技盤１０の前面と透明板４２ａとの間の距離を検知できるのであれば、その他の箇所に設置することもできる。
また、リミットスイッチ５１は、１つだけでなく、複数設置してもよい。
【００３１】
前記実施の形態では、「距離検知手段」がリミットスイッチである例を示したが、２物体間の距離を検知できる手段であれば、その他のスイッチや距離センサー等を用いることもできる。
例えば、「距離検知手段」として、赤外線フォトセンサー及びその他のフォトセンサー、近接スイッチ、導電性ゴムスイッチ、ホール素子を利用したセンサー、等を用いることもできる。
【００３２】
前記実施の形態では、遊技球（パチンコ球）の直径が１１ｍｍである例を説明したが、これに限るものではない。
例えば、遊技球の直径が１２ｍｍである場合であっても、その遊技球の直径に対応して、距離検知手段が検知する「所定の距離」を大きく設定したり、遊技盤前面と透明板後面との間の距離を適宜設定し直すこと等により、本発明を適用することができる。
【００３３】
前記実施の形態では、遊技機がパチンコ機１である例を示したが、遊技盤前面と透明板後面との間の距離の変動に起因して種々の不具合を生ずるおそれのある遊技機であれば、その他の遊技機（スロット機、アレンジボール機等）であっても本発明を適用できる。
【００３４】
【発明の効果】
以上述べたように、この発明によれば、パチンコ機等の遊技機において、遊技盤前面と透明板後面との間の距離が変動することに起因する種々の不具合が有効に防止される。
【図面の簡単な説明】
【図１】遊技機としてのパチンコ機全体を示す正面図である。
【図２】図１のＩＶ−ＩＶ線に基づく縦断面図である。
【図３】図１のＶ−Ｖ線に基づく平断面図である。
【図４】本体部の外枠に対し基枠を開きその基枠に対し開閉扉を開いた状態を示すパチンコ機の斜視図である。
【図５】本体部の外枠に対し基枠を開いた状態を示すパチンコ機の斜視図である。
【図６】図２におけるリミットスイッチの周辺を拡大して表した縦断面図である。
【図７】図６における前面飾り部材の下縁部が手前側の方向に向けて引っ張られた状態を示す縦断面図である。
【符号の説明】
１  パチンコ機（遊技機）
３  外枠（本体部）
７  基枠（本体部）
１０
遊技盤
１１
案内レール
１２
遊技領域
２０
扉用開閉機構（開閉機構）
２５
扉用閉止機構（閉止機構）
３０
開閉扉
３１
開口窓
３６
発光体（外部報知手段）
４２、４２ａ
透明板
５０
アウト口
５１
リミットスイッチ（距離検知手段）
５２
プランジャ
【図１】
0004203586.tif 000002
【図２】
0004203586.tif 000003
【図３】
0004203586.tif 000004
【図４】
0004203586.tif 000005
【図５】
0004203586.tif 000006
【図６】
0004203586.tif 000007
【図７】
0004203586.tif 000008